(57)【要約】【課題】本発明は、カラー画像のうち指定された複数の特定色を色画像としその他の部分を白黒とする特殊効果画像を簡単かつ高品質に作成する画像処理装置、画像処理方法及びプリンタドライバプログラムに関する。【解決手段】画像処理装置１は、２色の特定色の指定を伴う特殊効果処理要求があると、明彩度変換処理部２１で、画像データ１２ａを彩度成分を含むデータに変換し、白黒画像作成処理部２２で、指定の特定色以外の色の画像部分を白黒画像データに変換し、マスク作成処理部２３及びマスク調整処理部２４で、２色の特定色の画像部分を抽出して当該特定色画像部分の色相をそれぞれ決定して、特殊効果処理部２６で、白黒画像データのうち特定色画像部分を除去した白黒画像データと特定色画像部分にマスク処理で決定された色相の特定色画像部分の画像データを合成して特殊効果画像データを生成する。【選択図】          図２
2006115279.tif 000002
【特許請求の範囲】
【請求項１】
カラー画像の画像データが入力され、当該画像データに当該カラー画像の特定色以外の色を白黒とする画像データを生成する特殊効果処理を行った後、印刷出力可能なデータに変換する画像処理装置であって、前記特定色として複数の特定色が指定されて前記特殊効果処理が要求されると、前記画像データを少なくとも彩度成分を含むデータに変換する彩度変換処理手段と、前記彩度変換された画像データのうち前記指定された複数の特定色以外の色の画像部分の画像データを白黒画像データに変換する白黒画像データ変換処理手段と、前記彩度変換された画像データのうち前記指定された複数の特定色の画像部分を抽出して当該複数の特定色画像部分の色相をそれぞれ決定するマスク処理手段と、前記白黒画像データのうち前記特定色画像部分を除去した白黒画像データと当該特定色画像部分に前記マスク処理で決定された色相の特定色画像部分の画像データを合成して特殊効果を施した画像データを生成する特殊効果処理手段と、当該合成された画像データを印刷出力可能な画像データに変換する印刷データ変換処理手段と、を備えていることを特徴とする画像処理装置。
【請求項２】
前記画像処理装置は、前記マスク処理手段が、前記色相の出力の度合いを調整して特殊効果の程度を調整する特殊効果程度調整処理をも実行することを特徴とする請求項１記載の画像処理装置。
【請求項３】
前記画像処理装置は、前記特定色画像部分の画像データの彩度成分を変更してカラーコレクション処理を実行するカラーコレクション処理手段を備えていることを特徴とする請求項１または請求項２記載の画像処理装置。
【請求項４】
前記画像処理装置は、少なくとも画像を表示する表示手段を備え、前記入力画像及び前記白黒画像データ変換処理手段、前記マスク処理手段、前記特殊効果処理手段での処理画像を適宜前記表示手段に表示出力することを特徴とする請求項１から請求項３のいずれかに記載の画像処理装置。
【請求項５】
カラー画像の画像データを取り込んで、当該画像データに当該カラー画像の特定色以外の色を白黒とする画像データを生成する特殊効果処理を行った後、印刷出力可能なデータに変換する画像処理方法であって、前記特定色として複数の特定色が指定されて前記特殊効果処理が要求されると、前記画像データを少なくとも彩度成分を含むデータに変換する彩度変換処理ステップと、前記彩度変換された画像データのうち前記指定された複数の特定色以外の色の画像部分の画像データを白黒画像データに変換する白黒画像データ変換処理ステップと、前記彩度変換された画像データのうち前記指定された複数の特定色の画像部分を抽出して当該複数の特定色画像部分の色相をそれぞれ決定するマスク処理ステップと、前記白黒画像データのうち前記特定色画像部分を除去した白黒画像データと当該特定色画像部分に前記マスク処理で決定された色相の特定色画像部分の画像データを合成して特殊効果を施した画像データを生成する特殊効果処理ステップと、当該合成された画像データを印刷出力可能な画像データに変換する印刷データ変換処理ステップと、を実行することを特徴とする画像処理方法。
【請求項６】
カラー画像の画像データを取り込んで、当該画像データに当該カラー画像の特定色以外の色を白黒とする画像データを生成する特殊効果処理を行った後、印刷出力可能なデータに変換するプリンタドライバプログラムであって、前記特定色として複数の特定色が指定されて前記特定校か処理が要求されると、前記画像データを少なくとも彩度成分を含むデータに変換する彩度変換処理ステップと、前記彩度変換された画像データのうち前記指定された複数の特定色以外の色の画像部分の画像データを白黒画像データに変換する白黒画像データ変換処理ステップと、前記彩度変換された画像データのうち前記指定された複数の特定色の画像部分を抽出して当該複数の特定色画像部分の色相をそれぞれ決定するマスク処理ステップと、前記白黒画像データのうち前記特定色画像部分を除去した白黒画像データと当該特定色画像部分に前記マスク処理で決定された色相の特定色画像部分の画像データを合成して特殊効果を施した画像データを生成する特殊効果処理ステップと、当該合成された画像データを印刷出力可能な画像データに変換する印刷データ変換処理ステップと、を実行することを特徴とするプリンタドライバプログラム。
【請求項７】
前記プリンタドライバプログラムは、前記マスク処理ステップで、前記色相の出力の度合いを調整して特殊効果の程度を調整する特殊効果程度調整処理ステップをも実行することを特徴とする請求項６記載のプリンタドライバプログラム。
【請求項８】
前記プリンタドライバプログラムは、前記特定色画像部分の画像データの彩度成分を変更してカラーコレクションを行うカラーコレクション処理ステップを実行することを特徴とする請求項６または請求項７記載のプリンタドライバプログラム。
【発明の詳細な説明】
【技術分野】
【０００１】
本発明は、画像処理装置、画像処理方法及びプリンタドライバプログラムに関し、詳細には、カラー画像のうち指定された複数の特定色を色画像としその他の部分を白黒とする特殊効果画像を簡単かつ高品質に作成する画像処理装置、画像処理方法及びプリンタドライバプログラムに関するものとする。
【背景技術】
【０００２】
カラープリンタは、その印刷方法として、一般的に、「フルカラーモード」と「白黒モード」の２種類の印刷方法を備えている。
【０００３】
そして、従来から、カラープリンタにおいては、出力画像に対して「フルカラー」か「白黒」かの選択や「フルカラー」で印刷する場合には、プリンタドライバにおいて、一般的に、明度調整（画像の明度の調整）、コントラスト調整（画像のコントラストの調整）及び色調補正（画像全体の色味の調整(「赤みを強く」や「青みを強く」等)）のような調整的な効果を画像に対して付与する画像処理を施すことができる。
【０００４】
そして、このような画像処理のうち、フルカラーの元画像のうち特定の１色だけを指定してカラー印刷し、元画像の他の色は白黒画像として印刷する特殊効果印刷処理がある。  このような特殊効果印刷処理は、例えば、女性の顔の写真がある場合、当該女性の顔のうち唇の口紅の色だけをカラーで印刷し、それ以外の部分を白黒で印刷する特殊効果印刷を行うことで、例えば、口紅を紹介する広告として効果的なインパクトを与え画像として印刷することができる。また、この他にも様々な分野で特徴的な効果を与えることができると考えられる。
【０００５】
ところが、従来のプリンタドライバソフトウェアにあっては、上述のような調整機能しか有していないため、このような特殊効果印刷処理は、例えば、Adobe社製のPhotoshop等のグラフィックアプリケーションソフトウェアを使用して、当該グラフィックアプリケーションソフトウェア上で画像に対して特殊効果処理を施し、その後、当該特殊効果処理を施した画像データをカラープリンタに転送してプリントアウトを行うことでのみ、実行することができる。
【０００６】
ところが、上述のような特殊効果処理をグラフィックアプリケーションソフトウェアを用いなければ実施することができないと、Adobe社製Photoshop等の高価なグラフィックアプリケーションソフトウェアが必要であるだけでなく、このようなグラフィックアプリケーションは、一般的に操作が難しく、特殊効果を実現するためには、熟練を要するという問題がある。
【０００７】
そこで、本出願人は、先に、特殊効果処理を実現する画像処理装置、画像処理方法及びプログラムを提案しており、この特殊効果処理をソフトウェアとしてのプリンタドライバ内で実行している（特許文献１参照）。この従来技術では、特殊効果を行う場合にカラー印刷の対象として選択可能な特定色が１色である。
【０００８】
そして、この従来技術では、ソフトウェアにおける一般的動作としては、アプリケーションソフトウェアから渡された特殊効果を施したい画像データをプリンタドライバソフトウェア上に読み込む読込動作、特定色をカラー印刷しそれ以外の色を白黒印刷するという特殊効果処理をコンピュータ上で実行する特殊効果処理動作、特殊効果のかかり具合をコンピュータ上で調整する調整動作（コンピュータのモニタ上にプレビュー機能を設けることにより確認可能）、カラーコレクション機能により、カラー印刷を行う色を調整するカラーコレクション動作（コンピュータのモニタ上にプレビュー機能を設けることにより確認可能）及び特殊効果の施された画像をプリンタに転送してプリントアウトさせるプリントアウト動作が行われる。
【０００９】
【特許文献１】特開２００４−００７３７０号公報
【発明の開示】
【発明が解決しようとする課題】
【００１０】
しかしながら、上記特許文献１記載の従来技術にあっては、選択できる特定色が１色に限られていたため、例えば、赤と青の２色をカラー印刷したいといった２色以上の特定色のカラー印刷には対応することができず、利用性を向上させる上で、改良の必要があった。
【００１１】
そこで、請求項１記載の発明は、入力画像データに当該画像データのカラー画像の特定色以外の色を白黒とする画像データを生成する特殊効果処理を行った後、印刷出力可能なデータに変換するに際して、特定色として複数の特定色が指定されて特殊効果処理が要求されると、彩度変換処理手段で、画像データを少なくとも彩度成分を含むデータに変換し、白黒画像データ変換処理手段で、当該彩度変換された画像データのうち指定された複数の特定色以外の色の画像部分の画像データを白黒画像データに変換し、マスク処理手段で、当該彩度変換された画像データのうち指定された複数の特定色の画像部分を抽出して当該複数の特定色画像部分の色相をそれぞれ決定して、特殊効果処理手段で、白黒画像データのうち特定色画像部分を除去した白黒画像データと当該特定色画像部分にマスク処理で決定された色相の特定色画像部分の画像データを合成して特殊効果を施した画像データを生成し、当該合成された画像データを、印刷データ変換処理手段で、印刷出力可能な画像データに変換することにより、高価なグラフィックアプリケーションソフトウェアを用いることなく、複数の特定色についてのみカラーとしその他の部分を白黒とする高品質の特殊効果画像を簡単に作成することのできる画像処理装置を提供することを目的としている。
【００１２】
請求項２記載の発明は、マスク処理手段が、色相の出力の度合いを調整して特殊効果の程度を調整する特殊効果程度調整処理をも実行することにより、特殊効果を行った画像を意図する画像に調整し、より一層高品質の特殊効果画像を簡単に作成することのできる画像処理装置を提供することを目的としている。
【００１３】
請求項３記載の発明は、特定色画像部分の画像データの彩度成分を変更してカラーコレクション処理を実行するカラーコレクション処理手段を設けることにより、カラー出力する画像部分の色を意図する色に調整し、より一層高品質の特殊効果画像を簡単に作成することのできる画像処理装置を提供することを目的としている。
【００１４】
請求項４記載の発明は、入力画像及び白黒画像データ変換処理手段、マスク処理手段、特殊効果処理手段での処理画像を適宜表示手段に表示出力することにより、特殊効果画像を作成途中の画像を入力画像と比較しつつ確認できるようにし、利用性が良好で、より一層高品質の特殊効果画像を簡単に作成することのできる画像処理装置を提供することを目的としている。
【００１５】
請求項５記載の発明は、カラー画像の画像データを取り込んで、当該画像データに当該カラー画像の特定色以外の色を白黒とする画像データを生成する特殊効果処理を行った後、印刷出力可能なデータに変換するに際して、特定色として複数の特定色が指定されて特殊効果処理が要求されると、画像データを少なくとも彩度成分を含むデータに変換する彩度変換処理ステップと、彩度変換された画像データのうち指定された複数の特定色以外の色の画像部分の画像データを白黒画像データに変換する白黒画像データ変換処理ステップと、彩度変換された画像データのうち指定された複数の特定色の画像部分を抽出して当該複数の特定色画像部分の色相をそれぞれ決定するマスク処理ステップと、白黒画像データのうち特定色画像部分を除去した白黒画像データと当該特定色画像部分にマスク処理で決定された色相の特定色画像部分の画像データを合成して特殊効果を施した画像データを生成する特殊効果処理ステップと、当該合成された画像データを印刷出力可能な画像データに変換する印刷データ変換処理ステップと、を実行することにより、高価なグラフィックアプリケーションソフトウェアを用いることなく、複数の特定色についてのみカラーとしその他の部分を白黒とする高品質の特殊効果画像を簡単に作成することのできる画像処理方法を提供することを目的としている。
【００１６】
請求項６記載の発明は、カラー画像の画像データを取り込んで、当該画像データに当該カラー画像の特定色以外の色を白黒とする画像データを生成する特殊効果処理を行った後、印刷出力可能なデータに変換するに際して、特定色として複数の特定色が指定されて特定校か処理が要求されると、画像データを少なくとも彩度成分を含むデータに変換する彩度変換処理ステップと、彩度変換された画像データのうち指定された複数の特定色以外の色の画像部分の画像データを白黒画像データに変換する白黒画像データ変換処理ステップと、彩度変換された画像データのうち前記指定された複数の特定色の画像部分を抽出して当該複数の特定色画像部分の色相をそれぞれ決定するマスク処理ステップと、白黒画像データのうち特定色画像部分を除去した白黒画像データと当該特定色画像部分にマスク処理で決定された色相の特定色画像部分の画像データを合成して特殊効果を施した画像データを生成する特殊効果処理ステップと、当該合成された画像データを印刷出力可能な画像データに変換する印刷データ変換処理ステップと、を実行することにより、コンピュータ等の情報処理装置に組み込まれて実行されることで、高価なグラフィックアプリケーションソフトウェアを用いることなく、複数の特定色についてのみカラーとしその他の部分を白黒とする高品質の特殊効果画像を簡単に作成することのできるプリンタドライバプログラムを提供することを目的としている。
【００１７】
請求項７記載の発明は、マスク処理ステップで、色相の出力の度合いを調整して特殊効果の程度を調整する特殊効果程度調整処理ステップをも実行することにより、特殊効果を行った画像を意図する画像に調整し、より一層高品質の特殊効果画像を簡単に作成することのできるプリンタドライバプログラムを提供することを目的としている。
【００１８】
請求項８記載の発明は、特定色画像部分の画像データの彩度成分を変更してカラーコレクションを行うカラーコレクション処理ステップを実行することにより、カラー出力する画像部分の色を意図する色に調整し、より一層高品質の特殊効果画像を簡単に作成することのできるプリンタドライバプログラムを提供することを目的としている。
【課題を解決するための手段】
【００１９】
請求項１記載の発明の画像処理装置は、カラー画像の画像データが入力され、当該画像データに当該カラー画像の特定色以外の色を白黒とする画像データを生成する特殊効果処理を行った後、印刷出力可能なデータに変換する画像処理装置であって、前記特定色として複数の特定色が指定されて前記特殊効果処理が要求されると、前記画像データを少なくとも彩度成分を含むデータに変換する彩度変換処理手段と、前記彩度変換された画像データのうち前記指定された複数の特定色以外の色の画像部分の画像データを白黒画像データに変換する白黒画像データ変換処理手段と、前記彩度変換された画像データのうち前記指定された複数の特定色の画像部分を抽出して当該複数の特定色画像部分の色相をそれぞれ決定するマスク処理手段と、前記白黒画像データのうち前記特定色画像部分を除去した白黒画像データと当該特定色画像部分に前記マスク処理で決定された色相の特定色画像部分の画像データを合成して特殊効果を施した画像データを生成する特殊効果処理手段と、当該合成された画像データを印刷出力可能な画像データに変換する印刷データ変換処理手段と、を備えていることにより、上記目的を達成している。
【００２０】
この場合、例えば、請求項２に記載するように、前記画像処理装置は、前記マスク処理手段が、前記色相の出力の度合いを調整して特殊効果の程度を調整する特殊効果程度調整処理をも実行するものであってもよい。
【００２１】
また、例えば、請求項３に記載するように、前記画像処理装置は、前記特定色画像部分の画像データの彩度成分を変更してカラーコレクション処理を実行するカラーコレクション処理手段を備えていてもよい。
【００２２】
さらに、例えば、請求項４に記載するように、前記画像処理装置は、少なくとも画像を表示する表示手段を備え、前記入力画像及び前記白黒画像データ変換処理手段、前記マスク処理手段、前記特殊効果処理手段での処理画像を適宜前記表示手段に表示出力するものであってもよい。
【００２３】
請求項５記載の発明の画像処理方法は、カラー画像の画像データを取り込んで、当該画像データに当該カラー画像の特定色以外の色を白黒とする画像データを生成する特殊効果処理を行った後、印刷出力可能なデータに変換する画像処理方法であって、前記特定色として複数の特定色が指定されて前記特殊効果処理が要求されると、前記画像データを少なくとも彩度成分を含むデータに変換する彩度変換処理ステップと、前記彩度変換された画像データのうち前記指定された複数の特定色以外の色の画像部分の画像データを白黒画像データに変換する白黒画像データ変換処理ステップと、前記彩度変換された画像データのうち前記指定された複数の特定色の画像部分を抽出して当該複数の特定色画像部分の色相をそれぞれ決定するマスク処理ステップと、前記白黒画像データのうち前記特定色画像部分を除去した白黒画像データと当該特定色画像部分に前記マスク処理で決定された色相の特定色画像部分の画像データを合成して特殊効果を施した画像データを生成する特殊効果処理ステップと、当該合成された画像データを印刷出力可能な画像データに変換する印刷データ変換処理ステップと、を実行することにより、上記目的を達成している。
【００２４】
請求項６記載の発明のプリンタドライバプログラムは、カラー画像の画像データを取り込んで、当該画像データに当該カラー画像の特定色以外の色を白黒とする画像データを生成する特殊効果処理を行った後、印刷出力可能なデータに変換するプリンタドライバプログラムであって、前記特定色として複数の特定色が指定されて前記特定校か処理が要求されると、前記画像データを少なくとも彩度成分を含むデータに変換する彩度変換処理ステップと、前記彩度変換された画像データのうち前記指定された複数の特定色以外の色の画像部分の画像データを白黒画像データに変換する白黒画像データ変換処理ステップと、前記彩度変換された画像データのうち前記指定された複数の特定色の画像部分を抽出して当該複数の特定色画像部分の色相をそれぞれ決定するマスク処理ステップと、前記白黒画像データのうち前記特定色画像部分を除去した白黒画像データと当該特定色画像部分に前記マスク処理で決定された色相の特定色画像部分の画像データを合成して特殊効果を施した画像データを生成する特殊効果処理ステップと、当該合成された画像データを印刷出力可能な画像データに変換する印刷データ変換処理ステップと、を実行することにより、上記目的を達成している。
【００２５】
この場合、例えば、請求項７に記載するように、前記プリンタドライバプログラムは、前記マスク処理ステップで、前記色相の出力の度合いを調整して特殊効果の程度を調整する特殊効果程度調整処理ステップをも実行してもよい。
【００２６】
また、例えば、請求項８に記載するように、前記プリンタドライバプログラムは、前記特定色画像部分の画像データの彩度成分を変更してカラーコレクションを行うカラーコレクション処理ステップを実行してもよい。
【発明の効果】
【００２７】
請求項１記載の発明の画像処理装置によれば、入力画像データに当該画像データのカラー画像の特定色以外の色を白黒とする画像データを生成する特殊効果処理を行った後、印刷出力可能なデータに変換するに際して、特定色として複数の特定色が指定されて特殊効果処理が要求されると、彩度変換処理手段で、画像データを少なくとも彩度成分を含むデータに変換し、白黒画像データ変換処理手段で、当該彩度変換された画像データのうち指定された複数の特定色以外の色の画像部分の画像データを白黒画像データに変換し、マスク処理手段で、当該彩度変換された画像データのうち指定された複数の特定色の画像部分を抽出して当該複数の特定色画像部分の色相をそれぞれ決定して、特殊効果処理手段で、白黒画像データのうち特定色画像部分を除去した白黒画像データと当該特定色画像部分にマスク処理で決定された色相の特定色画像部分の画像データを合成して特殊効果を施した画像データを生成し、当該合成された画像データを、印刷データ変換処理手段で、印刷出力可能な画像データに変換するので、高価なグラフィックアプリケーションソフトウェアを用いることなく、複数の特定色についてのみカラーとしその他の部分を白黒とする高品質の特殊効果画像を簡単に作成することができる。
【００２８】
請求項２記載の発明の画像処理装置によれば、マスク処理手段が、色相の出力の度合いを調整して特殊効果の程度を調整する特殊効果程度調整処理をも実行するので、特殊効果を行った画像を意図する画像に調整することができ、より一層高品質の特殊効果画像を簡単に作成することができる。
【００２９】
請求項３記載の発明の画像処理装置によれば、特定色画像部分の画像データの彩度成分を変更してカラーコレクション処理を実行するカラーコレクション処理手段を設けているので、カラー出力する画像部分の色を意図する色に調整することができ、より一層高品質の特殊効果画像を簡単に作成することができる。
【００３０】
請求項４記載の発明の画像処理装置によれば、入力画像及び白黒画像データ変換処理手段、マスク処理手段、特殊効果処理手段での処理画像を適宜表示手段に表示出力するので、特殊効果画像を作成途中の画像を入力画像と比較しつつ確認することができ、利用性を向上させることができるとともに、より一層高品質の特殊効果画像を簡単に作成することができる。
【００３１】
請求項５記載の発明の画像処理方法によれば、カラー画像の画像データを取り込んで、当該画像データに当該カラー画像の特定色以外の色を白黒とする画像データを生成する特殊効果処理を行った後、印刷出力可能なデータに変換するに際して、特定色として複数の特定色が指定されて特殊効果処理が要求されると、画像データを少なくとも彩度成分を含むデータに変換する彩度変換処理ステップと、彩度変換された画像データのうち指定された複数の特定色以外の色の画像部分の画像データを白黒画像データに変換する白黒画像データ変換処理ステップと、彩度変換された画像データのうち指定された複数の特定色の画像部分を抽出して当該複数の特定色画像部分の色相をそれぞれ決定するマスク処理ステップと、白黒画像データのうち特定色画像部分を除去した白黒画像データと当該特定色画像部分にマスク処理で決定された色相の特定色画像部分の画像データを合成して特殊効果を施した画像データを生成する特殊効果処理ステップと、当該合成された画像データを印刷出力可能な画像データに変換する印刷データ変換処理ステップと、を実行するので、高価なグラフィックアプリケーションソフトウェアを用いることなく、複数の特定色についてのみカラーとしその他の部分を白黒とする高品質の特殊効果画像を簡単に作成することができる。
【００３２】
請求項６記載の発明のプリンタドライバプログラムによれば、カラー画像の画像データを取り込んで、当該画像データに当該カラー画像の特定色以外の色を白黒とする画像データを生成する特殊効果処理を行った後、印刷出力可能なデータに変換するに際して、特定色として複数の特定色が指定されて特定校か処理が要求されると、画像データを少なくとも彩度成分を含むデータに変換する彩度変換処理ステップと、彩度変換された画像データのうち指定された複数の特定色以外の色の画像部分の画像データを白黒画像データに変換する白黒画像データ変換処理ステップと、彩度変換された画像データのうち前記指定された複数の特定色の画像部分を抽出して当該複数の特定色画像部分の色相をそれぞれ決定するマスク処理ステップと、白黒画像データのうち特定色画像部分を除去した白黒画像データと当該特定色画像部分にマスク処理で決定された色相の特定色画像部分の画像データを合成して特殊効果を施した画像データを生成する特殊効果処理ステップと、当該合成された画像データを印刷出力可能な画像データに変換する印刷データ変換処理ステップと、を実行するので、コンピュータ等の情報処理装置に組み込まれて実行されることで、高価なグラフィックアプリケーションソフトウェアを用いることなく、複数の特定色についてのみカラーとしその他の部分を白黒とする高品質の特殊効果画像を簡単に作成することができる。
【００３３】
請求項７記載の発明のプリンタドライバプログラムによれば、マスク処理ステップで、色相の出力の度合いを調整して特殊効果の程度を調整する特殊効果程度調整処理ステップをも実行するので、特殊効果を行った画像を意図する画像に調整することができ、より一層高品質の特殊効果画像を簡単に作成することができる。
【００３４】
請求項８記載の発明のプリンタドライバプログラムによれば、特定色画像部分の画像データの彩度成分を変更してカラーコレクションを行うカラーコレクション処理ステップを実行するので、カラー出力する画像部分の色を意図する色に調整することができ、より一層高品質の特殊効果画像を簡単に作成することができる。
【発明を実施するための最良の形態】
【００３５】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００３６】
図１〜図８は、本発明の画像処理装置、画像処理方法及びプリンタドライバプログラムの一実施例を示す図であり、図１は、本発明の画像処理装置、画像処理方法及びプリンタドライバプログラムの一実施例を適用した画像処理装置１のブロック構成図である。
【００３７】
図１において、画像処理装置１は、入力部２、カラースキャナ３、表示部４、ＣＰＵ（Central Processing Unit ）５、記録媒体アクセス装置６、記録媒体７、ＲＡＭ（Random Access Memory）８及びプリンタＩ／Ｆ９等を備えており、上記主要各部は、バス１０に接続されている。
【００３８】
入力部２は、カーソルキー、テンキー及び各種機能キー等を備えたキーボード、表示部４の表示画面上で各種アイコンの選択操作等を行うマウスやスライスペン等のポインティングデバイス等を備え、操作者（オペレータ）が、画像処理装置１の各種操作、特に、後述する特殊効果処理を実行させるのに必要な各種操作を行うユーザインターフェースである。
【００３９】
カラースキャナ３は、カラー原稿を主走査及び副走査してカラー画像を読み取り、Ｒ、Ｇ、Ｂのデジタルの画像データとして入力する。
【００４０】
表示部（表示手段）４としては、ＣＲＴ（陰極線管：Cathode Ray Tube）やＬＣＤ（Liquid Crystal Display）等が用いられ、表示部４は、ＣＰＵ５から入力される表示データ、特に、入力画像データや特殊効果画像処理中の画像データに応じた表示を行う。
【００４１】
プリンタＩ／Ｆ９には、ネットワークを介してまたは直接、無線によりあるいは有線でカラープリンタ装置Ｐｒと接続されており、プリンタＩ／Ｆ９は、カラープリンタ装置Ｐｒとデータの送受信を行う。
【００４２】
カラープリンタ装置Ｐｒは、画像処理装置１から転送されてくる画像データに基づいて、カラー画像を用紙に記録出力し、特に、画像処理装置１から後述する特殊効果処理の施された画像データが転送されてくると、当該画像データに基づいて特殊効果処理の施されたカラー画像を用紙に記録出力する。
【００４３】
ＣＰＵ５は、記録媒体７に格納されているプログラムに従って、装置全体を制御する中央制御ユニットであり、データ通信、メモリへのアクセスによるアプリケーションプログラムの読み出しや各種データのリード／ライト、データ／コマンド入力、表示等を制御する。
【００４４】
ＲＡＭ８は、指定されたプログラム、入力指示、入力データ及び処理結果等を格納するワークメモリ、表示部４の表示画面に表示する表示データを一時的に格納する表示メモリ等を備えている。
【００４５】
記録媒体７は、ＣＰＵ５が実行可能なＯＳ（Operating System）プログラム１１、原稿画像をカラースキャナ３で取り込んだり、画像の作成・編集等を行うための画像アプリケーション１２、カラープリンタ装置Ｐｒに対応したプリンタドライバ１３等の各種プログラムやデータを格納している。記録媒体７としては、例えば、フロッピー（登録商標）ディスク、ハードディスク、ＣＤ−ＲＯＭ（Compact Disc Read Only Memory ）、ＤＶＤ（Digital Video Disk）−ＲＯＭ、ＭＯ（Magneto Optical）やＰＣカード等の光学的・磁気的・電気的な記録媒体を用いることができる。記録媒体７上の上記各種プログラムは、ＣＰＵ５が読み取り可能なデータ形態で格納されており、また、予め記録媒体７に記録されている場合や通信回線を介してダウンロードされて記録媒体７に格納される場合等がある。また、上記各種プログラムは、通信回線を介して配信可能である。
【００４６】
画像処理装置１は、画像アプリケーション１２を実行することで、表示部４にカラー画像データを表示してカラー画像の編集を可能とし、オペレータが、印刷のプロパティ画面の選択操作を行うと、プリンタドライバ１３の印刷のプロパティ画面を表示部４に表示する。
【００４７】
プリンタドライバ（プリンタドライバプログラム）１３は、図２に示すように、機能構成されており、画像データを少なくとも彩度成分を含むデータに変換する彩度変換処理ステップを実行する明彩度変換処理部（彩度変換処理手段）２１、画像データを白と黒とによって表される白黒画像データに変換する白黒画像データ変換処理ステップを実行する白黒画像作成処理部（白黒画像データ変換処理手段）２２、生成された彩度成分から画像データのうちのカラー出力すべき複数の特定色の色相を決定するマスク処理ステップを実行するマスク処理手段としてのマスク作成処理部２３とマスク調整処理部２４、画像データとマスク処理で決定された複数の特定色との合成及びカラーコレクション処理を行う合成処理＋カラーコレクション処理部（カラーコレクション処理手段）２５、合成処理及びカラーコレクション処理された画像データとデータが除かれた白黒画像とを合成して特殊効果画像を生成する特殊効果処理ステップを実行する特殊効果処理部（特殊効果処理手段）２６及び特殊効果処理部２６によって合成された画像データをプリント可能なデータ（Ｒ、Ｇ、Ｂ）に再度変換してカラープリンタ装置Ｐｒに出力する印刷データ変換処理ステップを実行するプリントデータ変換処理部（印刷データ変換処理手段）２７等を備えている。
【００４８】
プリンタドライバ１３には、画像アプリケーション１２で編集されて印刷指示操作されたＲ、Ｇ、Ｂのカラー画像データ１２ａが画像アプリケーション１２から入力され、プリンタドライバ１３は、特殊効果処理を施した画像を印刷する場合には、表示部４に特色印刷設定画面（図示略）を表示し、当該特殊印刷設定画面での設定に応じた特殊効果処理を実行する。
【００４９】
プリンタドライバ１３では、画像アプリケーション１２からのＲ、Ｇ、Ｂのカラー画像データ（以下、必要に応じて、元カラー画像データという。）１２ａが、明彩度変換処理部２１に入力され、明彩度変換処理部２１は、次式（１）の変換マトリックステーブルを用いて、元カラー画像データ（Ｒ、Ｇ、Ｂ）を明度Ｙと彩度Ｃｂ（無彩色から青、赤に向かう色としての彩度）及びＣｒ（無彩色から赤に向かう色としての彩度）とに変換（ＲＧＢ→ＹＣｂＣｒ）する。
【００５０】
【数１】
2006115279.tif 000003
明彩度変換処理部２１は、変換したＹ、Ｃｂ、Ｃｒを白黒画像作成処理部２２と合成処理＋カラーコレクション処理部２５に出力し、変換したＣｂ、Ｃｒをマスク作成処理部２３に出力する。
【００５１】
白黒画像作成処理部２２は、ＹＣｂＣｒに変換された画像データを、次式（２）に示す変換マトリクステーブルを用いて白黒画像データに変換し、明度と彩度とから白黒画像データ（Ｙ、０、０）を生成して、特殊効果処理部２６に出力する。
【００５２】
【数２】
2006115279.tif 000004
また、マスク作成処理部２３及びマスク調整部２４は、表示部４に表示される元カラー画像データ１２ａのうちオペレータによりマウス等で指定されたポイントの彩度からマスクを表す値α（０≦α≦１）を算出して、算出したαを合成処理＋カラーコレクション処理部２５に出力する。
【００５３】
合成処理＋カラーコレクション処理部２５は、明彩度変換処理部２１からの明度Ｙと彩度Ｃｂ、Ｃｒを、次式（３）の変換マトリックステーブルを用いて、図３に示すように、Ｃｂ’、Ｃｒ’に変換して、特殊効果処理部２６に出力し、これにより、カラーで印刷される特定色の色相を調整（カラーコレクション）することができる。
【００５４】
【数３】
2006115279.tif 000005
特殊効果処理部２６は、画像データ、白黒画像データ（Ｙ、０、０）及び値αから、次式（４）を用いて特殊効果を施した画像データＶｍｉｘを求める。
【００５５】
Ｖｍｉｘ＝［白黒画像データ×（１−α）］＋（元画像データ×α）・・・（４）
ここで、Ｖｍｉｘは、特殊効果が施された画像を表しており、αは、特殊効果処理に用いられるマスクを表している。
【００５６】
そして、特殊効果処理部２６は、特殊効果処理した画像データＶｍｉｘを表示部４に表示し、また、特殊効果処理した画像データＶｍｉｘを、プリントデータ変換処理部２７に出力する。
【００５７】
プリントデータ変換処理部２７は、特殊効果処理の施された画像データを、次式（５）の変換マトリクスを使用して、ＲＧＢに逆変換する。
【００５８】
【数４】
2006115279.tif 000006
すなわち、特殊効果の施された画像データＶｍｉｘは、逆変換処理が行われることで、Ｒ、Ｇ、Ｂによって表される画像データ（図２では、アプリケーションから入力されるＲ、Ｇ、Ｂの画像データと区別するために、Ｒ’，Ｇ’，Ｂ’と表記している。）となる。
【００５９】
プリントデータ変換処理部２７は、このＲ’，Ｇ’，Ｂ’の画像データを、プリンタＩ／Ｆ９を介してカラープリンタ装置Ｐｒに出力する。カラープリンタ装置Ｐｒは、Ｒ’，Ｇ’，Ｂ’の画像データをＣＭＹＫの画像データに変換した後、当該特殊効果の施された画像を用紙に記録出力する。
【００６０】
次に、本実施例の作用を説明する。本実施例の画像処理装置１は、指定された複数色の特定色に基づいて特殊効果処理を施した画像を生成して、記録出力させるところにその特徴がある。
【００６１】
すなわち、画像処理装置１は、画像アプリケーション１２で画像が作成・編集されて印刷出力操作が行われると、当該画像のＲＧＢ値が、画像アプリケーション１２からプリンタドライバ１３に読み込まれ、プリンタドライバ１３が、画像処理装置１のメモリ上、例えば、ＲＡＭ８上にマッピングするとともに、表示部４に元カラー画像とともに、特色印刷設定画面等の特殊効果処理印刷を行う場合の設定画面を表示する。図４（ａ）は、特殊効果処理を施す前の元画像データによって形成される元画像を示しており、本実施例では、元画像をＲ，Ｇ，Ｂ各８ｂｉｔ（０〜２５５値）とする。
【００６２】
オペレータは、カラー元画像の表示エリアに表示された画像データ中で、カラー出力したいポイントをマウス等で複数箇所、例えば、２箇所クリックして特定色として指定する。
【００６３】
プリンタドライバ１３は、まず、明彩度変換処理部２１で、読み込んだ画像のＲＧＢ値を上述のように上記（１）式を用いてＹＣｂＣｒ値に変換し、変換したＹ、Ｃｂ、Ｃｒを白黒画像作成処理部２２と合成処理＋カラーコレクション処理部２５に出力し、変換したＣｂ、Ｃｒをマスク作成処理部２３に出力する。白黒画像作成処理部２２が、ＹＣｂＣｒに変換された画像データを、上記（２）式の変換マトリクステーブルを用いて白黒画像データに変換し、明度と彩度とから白黒画像データ（Ｙ、０、０）を生成して、特殊効果処理部２６に出力する。この白黒画像データに変換された画像としては、例えば、図４（ｂ）に示されるようになる。
【００６４】
また、マスク作成処理部２３及びマスク調整部２４が、表示部４に表示される元カラー画像データ１２ａのうちオペレータによりマウス等で指定されたポイントの彩度からマスクを表す値α（０≦α≦１）を算出して、算出したαを合成処理＋カラーコレクション処理部２５に出力する。合成処理＋カラーコレクション処理部２５は、明彩度変換処理部２１からの明度Ｙと彩度Ｃｂ、Ｃｒを、上記（３）式の変換マトリックステーブルを用いて、図３に示したように、Ｃｂ’、Ｃｒ’に変換して、特殊効果処理部２６に出力する。
【００６５】
そして、上記表示部４の特色印刷設定画面等で、元画像の中で残しておきたい特定色が複数指定されると、マスク作成処理部２３及びマスク調整処理部２４でαを算出して、合成処理＋カラーコレクション処理部２５に出力するが、このαマスクの作成処理について、以下に、詳細に説明する。
【００６６】
例えば、図４（ａ）に示すような元画像が表示部４に表示されて、この元画像の中で残しておきたい特定色として、例えば、口紅の赤色と背景の青色が指定されたとすると、マスク作成処理部２３及びマスク調整処理部２４は、この赤色と青色の彩度成分からαを作成する。
【００６７】
すなわち、残しておきたい特定色（赤色と青色）のＣｂ値を、それぞれＣｂ−Ｂ赤、Ｃｂ−Ｂ青、Ｃｒ−Ｂ赤、残しておきたい特定色（赤色と青色）のＣｒ値を、それぞれＣｒ−Ｂ赤、Ｃｒ−Ｂ青とすると、マスク作成処理部２３は、Ｃｂを横軸、Ｃｒを縦軸としたＣｂ−Ｃｒ座標系を備え、この座標系において、残したい特定色の色相（Ｈｕｅ赤とＨｕｅ青）の座標系を、次式（６）（７）により算出する。
【００６８】
Ｈｕｅ赤＝ａｔａｎ（Ｃｒ−Ｂ赤／Ｃｂ−Ｂ赤）・・・（６）
Ｈｕｅ青＝ａｔａｎ（Ｃｒ−Ｂ青／Ｃｂ−Ｂ青）・・・（７）
続いて、マスク作成処理部２３は、図５（ａ）に示すＣｂ−Ｃｒ座標系を、算出されたそれぞれのＨｕｅだけ回転させ、図５（ｂ）に示すＸ−Ｙ座標系を作成することで座標変換処理を行う。
【００６９】
この座標変換処理により、特定色の元々の色（Ｃｂ−Ｂ赤、Ｃｒ−Ｂ赤）と（Ｃｂ−Ｂ青、Ｃｒ−Ｂ青）は、それぞれ（ＸＢ赤、０）、（ＸＢ青、０）というＸ軸上の点に移動する。
【００７０】
マスク作成処理部２３は、このＸＢ赤、ＸＢ青の値をαマスク作成のためのsourceとする。
【００７１】
ここで、残しておきたい特定色（Ｘ軸上の色成分）は、純粋にその色成分だけを持つということはほとんどあり得ず、例えば、デジタルスチルカメラで撮影したような画像の場合には、ある程度の色成分の分布（広がり）を持っている。
【００７２】
そこで、マスク作成処理部２３では、このような色成分の分布を考慮して、図５（ｂ）に示すように、Ｘ軸を中心として角度θの扇形状にｓｏｕｒｃｅ作成のための分布を広げ、この扇形の中に入っている色成分については、Ｘ軸に平行に扇形の辺まで移動させ、この移動量をＸ座標で示したものを各色のｓｏｕｒｃｅとする。
【００７３】
この扇形の角度θを狭めたり広げたりすることによって、特殊効果の係り具合を調整することができる。
【００７４】
そして、マスク作成処理部２３は、上記作成したsourceからαマスクの大本となるα１赤、とα１青をそれぞれ次式（８）、（９）により算出する。
【００７５】
α１赤＝ｓｏｕｒｃｅ／１００（％）・・・（８）
α１青＝ｓｏｕｒｃｅ／１００（％）・・・（９）
ここで、１００％という表記は、画像の持っているビット数によって異なり、ＲＧＢそれぞれ８ビットの画像の場合は、２５５という値になる。
【００７６】
以上の説明の処理によって、選択された特定色を、画像に含まれる各色から除いた状態を、図６（ａ）、（ｂ）に模式的に示す。なお、図６の縦軸は、％で示されるｓｏｕｒｃｅであり、横軸は色相を示している。
【００７７】
次に、マスク調整処理について説明する。上記マスク作成処理部２３の算出したαマスクの大本となるα１赤とα１青は、画像の特定色及びその近辺の色から作成される大本であるが、その彩度成分によっては、特殊効果を施すのに十分に大きな値にならない場合があり、結果として、特定色の部分がハーフトーン調になる等の適切な効果が得られないことがある。
【００７８】
そこで、本実施例の画像処理装置１は、上記マスク作成処理部２３で作成されたα１赤、α１青をマスク調整処理部２４で調整し、画像の特定色の出力の度合いを調整する。すなわち、マスク調整処理部２４は、パラメータＣＬＩＰ及びＧＡＩＮを用いて、次式（１０）、（１１）によりα１赤、α１青を調整することで、マスクα赤、α青を調整して、特定色の出力の度合いを調整、すなわち、特殊効果のかかり具合を調整する。
【００７９】
α赤＝ＧＡＩＮ×（α１赤−ＣＬＩＰ）・・・（１０）
ｉｆ(α赤≦０)α赤＝０；
ｅｌｓｅ  ｉｆ（α赤≧１）α赤＝１；
α青＝ＧＡＩＮ×（α１青−ＣＬＩＰ）・・・（１１）
ｉｆ(α青≦０)α青＝０；
ｅｌｓｅ  ｉｆ（α青≧１）α青＝１；
図７は、ＣＬＩＰ、ＧＡＩＮを説明するための図であり、図７（ａ）は、α１を、図７（ｂ）は、α１からＣＬＩＰを差し引いた値α２（式（１０）、（１１）のカッコ内）を説明する図、図７（ｃ）は、α２にＧＡＩＮを乗じたて得られたαを説明する図である。図７の縦軸は、α１、α２、αの数値を、横軸は、画像全体の各色を示している。図７から分かるように、ＣＬＩＰをα１から差し引くことによって、特定色と彩度の差が大きい色にかかるα１が小さくなり、ＧＡＩＮを乗じることによって特定色にかかるαだけを大きくすることができる。そして、上記図４（ａ）のα１の画像は、図４（ｃ）のようになり、図４（ａ）のα２の画像は、図４（ｄ）のようになっていて、特定色の範囲の色の位置だけが示され、他の部分が黒色で表される画像データである。
【００８０】
上記作成されたαに基づいて、合成処理＋カラーコレクション処理部２５が、まず、元画像にα１を合成（元画像×α１）して、図４（ｆ）に示すような画像となる画像データを作成し、また、元画像にα２を合成（元画像×α２）して、図４（ｇ）に示すような画像となる画像データを作成する。さらに、合成処理＋カラーコレクション部２５が、元画像にα１またはα２を合成した画像にカラーコレクションを施す（図４（ｈ）、図４（ｉ）参照）。
【００８１】
そして、特殊効果処理部２６が、白黒画像作成処理部２２からの白黒画像にα１、α２を用いて図４（ｅ）に示す白黒処理画像を生成し、さらに、白黒処理画像と合成処理＋カラーコレクション処理部２５からの処理画像から最終的に、図４（ｊ）に示すように、唇が赤色で、背景が紫色となっており、その他の画像部分が白黒となっている特殊効果処理画像を生成する。なお、図４（ｊ）において、唇の部分はＲ＝１００％となっている。
【００８２】
プリンタドライバ１３は、この特殊効果処理画像のＹＣｂＣｒを、プリンタデータ変換処理部２７で、ＲＧＢに変換し、この変換後のＲＧＢの画像データをプリンタＩ／Ｆ９を介してカラープリンタ装置Ｐｒに転送して、カラープリンタ装置Ｐｒで用紙に印刷出力する。
【００８３】
そして、画像処理装置１は、上記各処理工程での処理画像及び最終の特殊効果処理画像を、表示部４に適宜表示出力する。
【００８４】
このように、本実施例の画像処理装置１は、入力画像データ１２ａに当該画像データのカラー画像の特定色以外の色を白黒とする画像データを生成する特殊効果処理を行った後、印刷出力可能なデータに変換するに際して、特定色として複数の特定色が指定されて特殊効果処理が要求されると、明彩度変換処理部２１で、画像データ１２ａを少なくとも彩度成分を含むデータに変換し、白黒画像作成処理部２２で、当該彩度変換された画像データのうち指定された複数の特定色以外の色の画像部分の画像データを白黒画像データに変換し、マスク作成処理部２３及びマスク調整処理部２４で、当該彩度変換された画像データのうち指定された複数の特定色の画像部分を抽出して当該複数の特定色画像部分の色相をそれぞれ決定して、特殊効果処理部２６で、白黒画像データのうち特定色画像部分を除去した白黒画像データと当該特定色画像部分にマスク処理で決定された色相の特定色画像部分の画像データを合成して特殊効果を施した画像データを生成し、当該合成された画像データを、プリンタデータ変換処理部２７で、印刷出力可能な画像データに変換している。
【００８５】
したがって、高価なグラフィックアプリケーションソフトウェアを用いることなく、複数の特定色についてのみカラーとしその他の部分を白黒とする高品質の特殊効果画像を簡単に作成することができる。
【００８６】
また、本実施例の画像処理装置１は、マスク調整処理部２４が、色相の出力の度合いを調整して特殊効果の程度を調整する特殊効果程度調整処理をも実行する。
【００８７】
したがって、特殊効果を行った画像を意図する画像に調整することができ、より一層高品質の特殊効果画像を簡単に作成することができる。
【００８８】
さらに、本実施例の画像処理装置１は、合成処理＋カラーコレクション処理部２５で、特定色画像部分の画像データの彩度成分を変更してカラーコレクション処理を実行している。
【００８９】
したがって、カラー出力する画像部分の色を意図する色に調整するので、より一層高品質の特殊効果画像を簡単に作成することができる。
【００９０】
また、本実施例の画像処理装置１は、入力画像及び白黒画像作成処理部２２、マスク作成処理部２３、マスク調整処理部２４、合成処理＋カラーコレクション処理部２５、特殊効果処理部２６での処理画像を適宜表示部４に表示出力している。
【００９１】
したがって、特殊効果画像を作成途中の画像を入力画像と比較しつつ確認することができ、利用性を向上させることができるとともに、より一層高品質の特殊効果画像を簡単に作成することができる。
【００９２】
また、本実施例の画像処理装置１は、上記αマスクを自動作成するようにしてもよい。すなわち、画像処理装置１は、画像アプリケーション１２で画像が作成・編集されて印刷出力操作が行われると、プリンタドライバ１３が、図８に示すように、当該画像のＲＧＢ値を、画像アプリケーション１２から読み込み（ステップＳ１）、画像処理装置１のＲＡＭ８等のメモリ上にマッピングするとともに、表示部４に元カラー画像とともに、特色印刷設定画面等の特殊効果処理印刷を行う場合の設定画面を表示する。
【００９３】
この状態で、オペレータが、表示部４に表示されている元カラー画像中で、カラー出力したいポイントをマウス等の入力デバイスで複数箇所、例えば、２箇所クリックして指定すると（ステップＳ２）、プリンタドライバ１３の明彩度変換処理部１が、当該指定された特定色のＲＧＢを、上記上記（１）を用いてＹＣｂＣｒ値に変換する（ステップＳ３）。
【００９４】
次に、プリンタドライバ１３のマスク作成処理部２３及びマスク調整処理部２４が、特定色の彩度値であるＣｂ値、Ｃｒ値から上記式（８）、（９）を用いてα１を算出し、さらに、調整パラメータＣＬＩＰ及びＧＡＩＮを自動算出する（ステップＳ４）。すなわち、自動処理を行う場合には、ｓｏｕｒｃｅ作成のための分布を広げる扇形の角度θとパラメータＣＬＩＰとＧＡＩＮの値を自動的に決定する。
【００９５】
そして、マスク調整処理部２４が、上記式（１０）、（１１）を用いてαを算出して、αマスクを作成する（ステップＳ５）。
【００９６】
そして、αマスクを自動作成する場合、上記式（８）、（９）で算出された結果のα１において画像の特定職位外の画像部における最小値を、αＬとし、特定色の画像部の値を、αＢとすると、扇形の角度θ、パラメータＣＬＩＰ及びパラメータＧＡＩＮは、次式で与えられる。
【００９７】
扇形の角度θ＝４５度（初期値）・・・（１２）
ＣＬＩＰ＝αＢ・・・（１３）
ＧＡＩＮ＝１．０／（αＬ−αＢ）・・・（１４）
上記式（１２）〜（１４）において、パラメータＣＬＩＰ及びパラメータＧＡＩＮの値は、初期値であり、特殊効果処理実行後に微調整を施すことは当然可能である。マスク調整処理部２４は、上記式（１３）、（１４）によりＣＬＩＰ値及びＧＡＩＮ値を算出した後、上記式（１０）、（１１）でα（例えば、α赤、α青）を算出する。このようにして、自動的にαを算出することが可能となる。
【００９８】
そして、上記自動作成処理で得られたαを使ってマスクを作成し、このマスクを元画像データにかけることによって元画像データから複数の特定色以外の色を除くことができる。
【００９９】
このようにすると、より一層効率的に特殊効果画像を作成することができ、より一層利用性を向上させることができる。
【０１００】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【０１０１】
コンピュータ等に搭載され特殊効果処理を行うプリンタドライバプログラム、当該プリンタドライバプログラムを利用した特殊効果処理を実行する画像処理方法及び画像処理装置に適用できるだけでなく、特殊効果のかかり具合を確認するためのプレビュー機能を有し、さらに特殊効果の調整を行うためのインターフェースを有するカラーコピー機、当該カラーコピー機での特殊効果処理を実行する画像処理及び当該カラーコピーのプリンタ部へ画像データを渡すプリンタドライバプログラムに適用することができる。
【図面の簡単な説明】
【０１０２】
【図１】本発明の画像処理装置、画像処理方法及びプリンタドライバプログラムの一実施例を適用した画像処理装置のブロック構成図。
【図２】図１のプリンタドライバの機能構成図。
【図３】図２の合成処理＋カラーコレクション処理部による変換処理の説明図。
【図４】図１の画像処理装置による画像の特殊効果処理の処理手順の説明図。
【図５】図２のマスク作成処理部での処理の説明図。
【図６】画像に含まれる各色から特定色を除いた状態を模式的に示す図。
【図７】図２のマスク調整処理部で使用するパラメータの説明図。
【図８】図２のマスク作成処理部及びマスク調整処理部でのマスク自動作成処理を示すフローチャート。
【符号の説明】
【０１０３】
１  画像処理装置
２  入力部
３  カラースキャナ
４  表示部
５  ＣＰＵ
６  記録媒体アクセス装置
７  記録媒体
８  ＲＡＭ
９  プリンタＩ／Ｆ
１０  バス
１１  ＯＳプログラム
１２  画像アプリケーション
１３  プリンタドライバ
Ｐｒ  カラープリンタ装置
【図１】
2006115279.tif 000007
【図２】
2006115279.tif 000008
【図３】
2006115279.tif 000009
【図４】
2006115279.tif 000010
【図５】
2006115279.tif 000011
【図６】
2006115279.tif 000012
【図７】
2006115279.tif 000013
【図８】
2006115279.tif 000014